(57)【要約】【課題】防水機能を損なうことなく、アンテナの取り付けを容易にしたアンテナの取付構造を提供する。【解決手段】アンテナの取付構造は、筐体１と、筐体１の上部側面１ａに設けられた嵌合孔４と、嵌合孔４を介して筐体１の内側から外側に延在するアンテナ２と、嵌合孔４に取り付けられ、アンテナ２の内側部分を覆う基端部３２とアンテナ２の外側部分を保護するカバー部３１を有するアンテナカバー３と、筐体１の内側において、アンテナ２の内側部分とアンテナカバー３の基端部３２を共締めする規制部材６と、を備える。【選択図】図６
2019041139.tif 000002
【特許請求の範囲】
【請求項１】
アンテナの取付構造であって、
筐体と、
前記筐体の側面に設けられた嵌合孔と、
前記嵌合孔を介して前記筐体の内側から外側に延在するアンテナと、
前記嵌合孔に取り付けられ、前記アンテナの内側部分を覆う基端部と前記アンテナの外側部分を保護するカバー部を有するアンテナカバーと、
前記筐体の内側において、前記アンテナの前記内側部分と前記アンテナカバーの前記基端部を共締めする規制部材と、を備えることを特徴とするアンテナの取付構造。
【請求項２】
前記規制部材が一対の挟持部と前記一対の挟持部の略中央から突出する係入部を有し、
前記一対の挟持部が前記アンテナカバーの前記基端部の少なくとも一部に周設されたフランジ部を挟持し、
前記係入部が前記フランジ部に穿設された第１係入孔と前記アンテナの前記内側部分に穿設された第２係入孔に係入される、ことを特徴とする請求項１に記載のアンテナの取付構造。
【請求項３】
前記筐体が前記嵌合孔よりも内側に位置決め突起を有し、前記アンテナカバーの前記フランジ部が前記位置決め突起に対応する位置に切欠きを有し、前記切欠きを前記位置決め突起に沿わせるように前記アンテナカバーが前記嵌合孔に取り付けられることを特徴とする請求項２に記載のアンテナの取付構造。
【請求項４】
前記基端部の外周面に取り付けられたＯリングをさらに備えることを特徴とする請求項１から３のいずれか１項に記載のアンテナの取付構造。
【発明の詳細な説明】
【技術分野】
【０００１】
本発明は、アンテナの取付構造、特に、携帯電話機等の無線端末に取り付けられる外付け用のアンテナの取付構造に関する。
【背景技術】
【０００２】
従来、携帯電話機等の無線端末の筐体に対して外付けで取り付けられるアンテナの取付構造が知られている（例えば、特許文献１参照）。特許文献１は、落下衝撃力等の大きな外力を不用意に受けた際、アンテナカバーの脱落等に対する十分な剛性を備えさせて保護し、また組立作業性を向上させる点を課題として、筐体にアンテナ取付孔を形成して、アンテナカバーの基端部を鏡体の内側で「かんぬき止め構造（具体的には、クリップ）」で固定する態様となっている。これにより、落下による衝撃がアンテナカバーに加わることなく、また、アンテナカバーを取付孔に差し込んで回転させることで固定できるため、組立が容易となる。
【０００３】
ところで、近年、無線端末、特に携帯電話機のように屋内外どこにでも持ち運ぶ無線端末に防水性を付与することが求められている。この防水性を特許文献１の発明に付与しようとすると、アンテナカバーが取り付けられるアンテナ取付孔の周りに防水のためのＯリングを取り付けるか、又はアンテナカバー側にＯリングを取り付けてアンテナ取付孔に取り付ける必要がある。しかしながら、特許文献１のようなアンテナの取付構造ではアンテナカバーを回転させて取り付けるため、回転動作でＯリングとアンテナカバーとの間に隙間が形成され、防水効果が損なわれることがあるという問題があった。
【先行技術文献】
【特許文献】
【０００４】
【特許文献１】特開平１０−１７３４２０号公報
【発明の概要】
【発明が解決しようとする課題】
【０００５】
本発明は、かかる課題に鑑みなされたものであり、防水機能を損なうことなく、アンテナの取り付けを容易にしたアンテナの取付構造を提供するものである。
【課題を解決するための手段】
【０００６】
上記した課題を解決するために、本発明は、以下の態様によって把握される。
（１）本発明に係る態様は、アンテナの取付構造であって、筐体と、前記筐体の側面に設けられた嵌合孔と、前記嵌合孔を介して前記筐体の内側から外側に延在するアンテナと、前記嵌合孔に取り付けられ、前記アンテナの内側部分を覆う基端部と前記アンテナの外側部分を保護するカバー部を有するアンテナカバーと、前記筐体の内側において、前記アンテナの前記内側部分と前記アンテナカバーの前記基端部を共締めする規制部材と、を備えることを特徴とする。
【０００７】
（２）上記（１）に記載の構成において、前記規制部材が一対の挟持部と前記一対の挟持部の略中央から突出する係入部を有し、前記一対の挟持部が前記アンテナカバーの前記基端部の少なくとも一部に周設されたフランジ部を挟持し、前記係入部が前記フランジ部に穿設された第１係入孔と前記アンテナの前記内側部分に穿設された第２係入孔に係入される。
【０００８】
（３）上記（２）に記載の構成において、前記筐体が前記嵌合孔よりも内側に位置決め突起を有し、前記アンテナカバーの前記フランジ部が前記位置決め突起に対応する位置に切欠きを有し、前記切欠きを前記位置決め突起に沿わせるように前記アンテナカバーが前記嵌合孔に取り付けられる。
【０００９】
（４）上記（１）から（３）のいずれか１つに記載の構成において、前記基端部の外周面に取り付けられたＯリングをさらに備える。
【発明の効果】
【００１０】
本発明によれば、防水機能を損なうことなく、アンテナの取り付けを容易にしたアンテナの取付構造を提供することができる。
【図面の簡単な説明】
【００１１】
【図１】本発明の実施形態に係る無線端末において、筐体の手前側カバーを取り除いて示す正面図である。
【図２】図１のうち基板とアンテナを抽出して正面から示す図であって、（ａ）は無線端末の全体を、（ｂ）はアンテナ関連部分の拡大図を、それぞれ示す。
【図３】図１のうち基板とアンテナを抽出して背面から示す図であって、（ａ）は無線端末の全体を、（ｂ）はアンテナ関連部分の拡大図を、それぞれ示す。
【図４】図１のＡ−Ａ線断面を示す図であって、（ａ）は無線端末の全体を、（ｂ）はアンテナ関連部分の拡大図を、それぞれ示す。
【図５】図１から基板を取り除いて、アンテナの取付構造に係る構成要素を組立前の状態で分解して示す斜視図である。
【図６】図５において、組立後のアンテナの取付構造を拡大して示す部分断面図である。
【図７】規制部材を拡大して示す斜視図である。
【発明を実施するための形態】
【００１２】
以下、添付図面を参照して、本発明の実施形態について詳細に説明するが、各図において、同一符号は同一又は対応する部分を示す。また、本発明は、以下の説明からも明らかなようにこれらの実施形態に限定されるものではなく、発明の要旨の範囲内において当業者であれば種々の変形が可能である。
【００１３】
まず、図１から図４を参照して、本実施形態に係るアンテナ２の取付構造が適用される携帯電話機等の無線端末の全体構成について説明する。無線端末は、図１に示すように、筐体１（ここでは、無線端末の内部構造を示すため、手前側の筐体は省略し、奥側の筐体のみを図示している。）と、筐体１の側面（ここでは、上部側面１ａの場合を図示している。）に設けられたアンテナ２と、アンテナ２を保護するアンテナカバー３と、を備えている。なお、無線端末の内部には基板１１が設けられており、基板１１には種々の電子部品（不図示）が実装されている。
【００１４】
アンテナ２の配置位置は、図示したものに限る必要はなく、無線端末の形態に応じて適切な箇所に配置してよい。例えば、折り畳み式の無線端末であれば、略中央に形成される折り畳み箇所の近傍に設けることができる。
【００１５】
筐体１の上部側面１ａには嵌合孔４が設けられており、アンテナ２は、嵌合孔４を介して、筐体１の内側から外側に延在している。アンテナ２は、図２（ａ）及び同（ｂ）、図３（ａ）及び同（ｂ）に示すように、長片２１と短片２２とから構成されるＬ字状に形成されており、短片２２の端部にある取付孔２２ａを介して筐体１に固定されている。長片２１は、前述したように、嵌合孔４を介して筐体１の内側から外側に延在している。なお、アンテナ２は、必ずしもＬ字状に形成する必要はなく、長片２１のみのＩ字状のものであってもよい。
【００１６】
アンテナカバー３は、アンテナ２の長片２１のうち筐体１の外側に延在する外側部分を保護するカバー部３１と、同じく内側部分の一部を覆う基端部３２とから構成される。基端部３２は、嵌合孔４を介して筐体１の内側に挿入されるが、基端部３２の外周面にはＯリング５が取り付けられており、基端部３２と嵌合孔４の間の防水性を確保する。また、基端部３２のＯリング５よりも内側には規制部材６が取り付けられ、アンテナカバー３の基端部３２とアンテナ２の長片２１を共締めする。これらの断面構造は、図１のＡ−Ａ線の断面図を示している図４（ａ）及び同（ｂ）のとおりであるが、これらの点については、項をあらためて詳しく後述する。
【００１７】
以上、無線端末の全体構成を説明したが、そのアンテナ２の取付構造について、図５から図７を参照してより詳しく説明する。
【００１８】
図５は、基板１１を除いて、アンテナ２の取付構造に係る構成要素を組立前の状態で分解して示す斜視図であり、図６は、組立後のアンテナ２の取付構造を拡大して示す部分断面図である。図５及び図６に示すように、アンテナ２は、長片２１と短片２２とから構成されるＬ字状を形成しており、短片２２の端部（図中、右端）に穿設された取付孔２２ａを介して、筐体１に突設されたボス２２ｂにネジ２２ｃによって固定される。
【００１９】
アンテナ２の長片２１は、筐体１の上部側面１ａに設けられた嵌合孔４を介して筐体１の内側から外側に延在する。長片２１には第２係入孔２１ａが穿設されており、第２係入孔２１ａは、長片２１が筐体１に取り付けられたときに、嵌合孔４の内側で筐体１に形成された位置決め突起４１と対向する位置に設けられる。
【００２０】
アンテナカバー３は、カバー部３１と基端部３２とを有しており、カバー部３１は筐体１の外側でアンテナ２の長片２１を保護し、基端部３２は嵌合孔４から筐体１の内側においてアンテナ２の長片２１を覆う。ここで、基端部３２の内側端部には径方向に膨張したフランジ部３３が形成されている。
【００２１】
フランジ部３３には、その一方には第１係入孔３３ａが穿設されており、その径方向反対側には切欠き３３ｂが設けられている。換言すると、フランジ部３３は、基端部３２の内側端部の少なくとも一部に周設されていることになる。第１係入孔３３ａは、アンテナ２の第２係入孔２１ａに対応する位置に、切欠き３３ｂは、筐体１の位置決め突起４１に対応する位置に設けられる。Ｏリング５は、フランジ部３３よりも径の小さい基端部３２に取り付けられる。
【００２２】
規制部材６は、一対の挟持部６１と、一対の挟持部６１の略中央から突出する係入部６２を有している。一対の挟持部６１は、アンテナカバー３のフランジ部３３を両側から挟持し、係入部６２は、フランジ部３３に穿設された第１係入孔３３ａとアンテナ２の長片２１に穿設された第２係入孔２１ａに係入される。
【００２３】
図６に示すように、アンテナカバー３のフランジ部３３の第１係入孔３３ａ、アンテナ２の長片２１の第２係入孔２１ａ、フランジ部３３の切欠き３３ｂ、筐体１の位置決め突起４１は、実質的に直線状に並んでおり、規制部材６の係入部６２がその中心線上に位置している。そして、規制部材６の一対の挟持部６１がフランジ部３３を両側から挟持している。
【００２４】
規制部材６は、図７に拡大して示すように、Ｍ字状に構成することが好ましい。ここでは、規制部材６として、角丸（なで肩）のＭ字状の態様を示しているが、関連する要素の位置決めを行うことができる係入部６２と、それらの関連する要素を両側から挟持する一対の挟持部６１とが設けられていれば、全体の形状は特に限定されない。例えば、角張った（いかり肩）Ｍ字状の態様であっても差し支えない。規制部材６は、強度やしなり性を考慮すると、例えばポリカーボネートによって形成することが好ましい。
【００２５】
アンテナ２を取り付ける手順は、次のとおりである。まず、Ｏリング５をアンテナカバー３の基端部３２に取り付ける。次に、アンテナカバー３を筐体１の嵌合孔４に挿入する。その際、アンテナカバー３のフランジ部３３の切欠き３３ｂを、筐体１の位置決め突起４１に沿わせて挿入する。次に、アンテナ２の長片２１をアンテナカバー３のフランジ部３３（基端部３２）からカバー部３１に挿入する。
【００２６】
そして、アンテナカバー３のフランジ部３３の第１係入孔３３ａと、アンテナ２の長片２１の第２係入孔２１ａとを対応させ、規制部材６の係入部６２を第１係入孔３３ａ及び第２係入孔２１ａに挿入すると同時に、一対の挟持部６１によってフランジ部３３を両側から挟持し、アンテナ２とアンテナカバー３を固定する。最後に、アンテナ２の短片２２の取付孔２２ａと筐体１内に形成されたボス２２ｂをネジ２２ｃで固定する。
【００２７】
上記したような構造とすることで、アンテナカバー３を取り付ける際に、アンテナカバー３を回すことなく筐体１の嵌合孔４に取り付けるため、防水用のＯリング５がたわむことなく、防水機能を損なわずに取り付けることが可能になる。
【００２８】
また、規制部材６の係入部６２がアンテナカバー３の第１係入孔３３ａとアンテナ２の第２係入孔２１ａに入り込むため、アンテナ２にアンテナカバー３を取り付ける際にアンテナ２がずれたり、アンテナカバー３のＯリング５の反発力によって筐体１の嵌合孔４から外れてしまったりすることを防止し、仮止め状態を形成しやすい。特に、アンテナカバー３内にコイルスプリングが設けられている場合には、手で支えながらアンテナ２にアンテナカバー３を取り付ける必要があり、この作業がなくなるため作業性が良くなる。
【００２９】
以上、実施形態について説明したが、本発明は、具体的な実施形態に限定されるものではなく、種々の変更を行ったものも含まれるものであり、そのことは、当業者にとって特許請求の範囲の記載から明らかである。
【符号の説明】
【００３０】
１…筐体
１ａ…上部側面
１１…基板
２…アンテナ
２１…長片
２１ａ…第２係入孔
２２…短片
２２ａ…取付孔
２２ｂ…ボス
２２ｃ…ネジ
３…アンテナカバー
３１…カバー部
３２…基端部
３３…フランジ部
３３ａ…第１係入孔
３３ｂ…切欠き
４…嵌合孔
４１…位置決め突起
５…Ｏリング
６…規制部材
６１…一対の挟持部
６２…係入部
【図１】
2019041139.tif 000003
【図２】
2019041139.tif 000004
【図３】
2019041139.tif 000005
【図４】
2019041139.tif 000006
【図５】
2019041139.tif 000007
【図６】
2019041139.tif 000008
【図７】
2019041139.tif 000009